(57)【特許請求の範囲】
【請求項１】
携帯用歯間ブラシ（Ａ）において、
前記携帯用歯間ブラシ（Ａ）は、洗浄液が収納されて携帯が簡単になり、洗浄液が流出される組立突出部（５１）が形成された洗浄液チューブ（５）と、
前記洗浄液チューブ（５）の組立突出部（５１）が挿入されて組み立てられる組立孔（６１）が一端部に形成され、前記組立孔（６１）に続いて前記組立孔（６１）よりも径が大きく形成された固定孔（６２）が他端部に形成され、前記洗浄液チューブ（５）の組立突出部（５１）に着脱可能に組み立てられるチューブ蓋（６）と、
前記チューブ蓋（６）の固定孔（６２）内に挿入されて固定される挿入端部（７２）が形成され、その挿入端部（７２）の自由端部には、突出した密着端部（７３）が形成されて前記組立突出部（５１）と着脱可能に密着され、他端部には、ブラシ（７１）が固定されたブラシ固定部（７）を含み、
前記挿入端部（７２）および前記密着端部（７３）は前記固定孔（６２）内に配置され、前記挿入端部（７２）の外側面が前記固定孔（６２）の内側面と当接し、前記挿入端部（７２）の外側面には流出溝（７２ａ）が形成され、前記組立突出部（５１）の端部は前記固定孔（６２）内に突出し、前記固定孔（６２）内で前記密着端部（７３）が前記組立突出部（５１）の端部と着脱可能に密着されていることを特徴とする携帯用歯間ブラシ。
【請求項２】
前記洗浄液チューブ（５）は、製造が容易に合成樹脂で成形され、洗浄液（Ｓ）が収納されたチューブ本体（５０）と、前記チューブ本体（５０）から延長されるボトルネック部に該当する前記組立突出部（５１）の先端部には、洗浄液（Ｓ）が流出される排出孔（５２）が形成され、前記組立突出部（５１）の下部の外側には、組み立てねじ部（５３）が形成されたのを含むことを特徴とする請求項１に記載の携帯用歯間ブラシ。
【請求項３】
前記ブラシ固定部（７）の密着端部（７３）は、前記洗浄液チューブ（５）の組立突出部（５１）を包むように延長された端突出段（７３ａ）が形成されたことを特徴とする請求項１に記載の携帯用歯間ブラシ。
【請求項４】
前記ブラシ固定部（７）の密着端部（７３）は、排出孔（５２）内に挿入されて着脱可能に密着させる中央突出部（７３ｂ）が形成されたことを特徴とする請求項１又は請求項３に記載の携帯用歯間ブラシ。
【請求項５】
前記チューブ蓋（６）の下部の組立孔（６１）と上部の固定孔（６２）との間に固定孔（６２）よりも大きい直径の拡張空間部（６３）が形成され、
前記挿入端部（７２）の自由端部である密着端部（７３）が、前記拡張空間部（６３）の内側に配置されたことを特徴とする請求項１に記載の携帯用歯間ブラシ。
【発明の詳細な説明】
【技術分野】
【０００１】
本発明は、携帯用歯間ブラシに関するものであって、より具体的に説明すると、旅行や外出時、食事後に歯の間にはさまる異物やプラークの清掃及び消毒が可能なように、携帯用として持参することが可能で、このような歯間ブラシは、洗浄液を入れた洗浄液チューブの排出孔上にブラシ本体の固定部を挿入させて組み立て、携帯用歯間ブラシの製造が非常に簡単になり、使用するのに便利で構造も単純になり製造コストが安価になって多量の生産が可能になり、低廉な価格で提供されることが可能になって国民の歯の健康が増進する携帯用歯間ブラシに関するものである。
【背景技術】
【０００２】
一般的に、歯間ブラシは、ホルダの先端に歯と歯の間を磨くための小さな毛状のブラシが取り付けられたもので、ブラシを歯間の隙間に入れて抜く動作で歯間をきれいにする口腔を清浄にする用品であって、このような歯間ブラシの使用により一般の歯ブラシが届かない部分の食べかすやプラークを容易に除去することができ、スケーリングなどの歯科治療後の消毒や喫煙後の歯石予防が可能になり、特に歯列矯正装置のような歯補助物の洗浄にも使用して清潔な状態を保つことができる効果がある。
【０００３】
しかし、現在の歯間ブラシの使用実態を見てみると、ブラシだけで洗浄が行われるため、歯茎が刺激され、出血が発生する場合が頻繁で、プラークをはじめとする食べかす除去能力が弱いという問題点があり、歯間ブラシを継続的に使用する場合には、これによる清潔状態の不良でブラシから不快な臭いがしたり、特に、細菌が増殖するという問題点があった。
【０００４】
前記のような問題点を解決するため、図１に示すように、ブラシ１３０が結合された歯ブラシ１１０の内部に洗浄液１４０が備えられた蓋１２０を結合させ、ユーザーが使用するたびに前記歯ブラシ１１０を洗浄液に浸し、ブラシ１３０に洗浄液１４０が付くようにする歯ブラシが開発されたが、しかし、前記の方法は、洗浄液１４０が歯ブラシの蓋１２０に保管されるため、ユーザーの不注意により蓋１２０が開放された場合、内部に保管された洗浄液が外部にそのまま流出しうるという問題点があり、歯ブラシ１１０を使用する場合、蓋１２０に保管された洗浄液の流出を防ぐために保管に注意を要し、歯ブラシ１１０に洗浄液を付けようとするたびに蓋１２０に歯ブラシ１１０を差し入れて抜く動作を繰り返さなければならない煩わしさがあった。
【０００５】
このような問題点を解決するために、特許文献１の「洗浄液が備えられた歯間ブラシ」という名称の特許が提案され、前記特許は、図２に示すように、両端が開放されたケース４０、前記ケース４０の内部に設けられ、一方に排出口３２が形成され、他方が開口された保管筒３０、前記保管筒３０の開口された外周面に結合され先端にチェックバルブ８０が結合された段チューブ７０、前記排出口３２の外周面に設けられるスプリング５５、前記排出口３２の外周面に設けられて外周面にねじ部が形成された連結ソケット５０、前記排出口３２にねじ締結され、内部に円錐形の排出孔が形成され、先端が上下に割れるとともに外周面に傾斜段６２が形成されたノズル６０、前記ノズル６０の割れた先端外周面に結合され、前記連結ソケット５０の一側面と当接する固定リング６５、前記連結ソケット５０に形成されたねじ部に締結され、前面にブラシ９５が結合されるとともに数個の噴射孔９２が形成されたノズルキャップ９０から構成され、従来の洗浄液の取り扱いの不便を解消させた効果はあるが、これを製造するには、その構造が複雑で製造コストが高価になり実用性がなく、使用された洗浄液が多使用されて残った場合には、再度保管筒３０に洗浄液を補充しなければならないが、このような保管筒３０に洗浄液を補充することができないため、高価で購入した歯間ブラシを使用することができなくなる問題点があった。
【先行技術文献】
【特許文献】
【０００６】
【特許文献１】韓国登録特許第１０−０４６８０７５号公報
【発明の概要】
【発明が解決しようとする課題】
【０００７】
本発明の目的は、このような問題点を解決するためのものであって、洗浄液が洗浄液チューブ内に充填され、充填された状態で洗浄液チューブの排出孔上にブラシ本体の固定部を挿入させて組み立てると、洗浄液が充填された充填空間と大気圧との間の圧力差が発生して洗浄液が流出されず、充填空間内に存在する性質を用いることにより携帯用歯間ブラシの製造が非常に簡単になり、歯間ブラシの構造が簡単になって製造が容易になり、製造コストが安価になるのはもちろんのこと、多量の生産が可能になって低廉な価格で消費者に供給することが可能になって国民の歯を健康な状態に維持することができる携帯用歯間ブラシを提供することである。
【０００８】
本発明の他の目的は、このような問題点を解決するためのものであって、洗浄液が密封状態で収納されて携帯が容易になり、携帯しながらも活動性が保証され、使用時には洗浄液チューブの組立突出部が容易に開閉されて洗浄液の流出の制御が可能になり、構造が簡単で製造コストが安価ながら容易に使うことができ、使用が便利な携帯用歯間ブラシを提供することである。
【課題を解決するための手段】
【０００９】
本発明のこのような目的は、洗浄液が充填された充填空間が形成され、洗浄液が流出される排出孔が形成された洗浄液チューブの前記洗浄液が充填された状態の前記洗浄液チューブの排出孔内に、一端部に固定部が形成され、他端部にはブラシが固定されたブラシ本体の前記固定部を強制的に圧入固定させ、前記充填空間内に充填された洗浄液上に加わる圧力が大気圧よりも低く、前記洗浄液チューブの外表面に圧力が加わらない場合、流出されないようにされている構造を有する本発明による携帯用歯間ブラシによって達成される。
【００１０】
本発明のこのような目的は、洗浄液が収納されて携帯が容易になり、洗浄液が流出される組立突出部が形成された洗浄液チューブと、前記洗浄液チューブの組立突出部が挿入されて組み立てられる組立孔が下部に形成され、前記組立孔の上方に組立孔より直径が大きく、ブラシが一端部に固定されたブラシ固定部が挿入固定される固定孔が形成され、前記洗浄液チューブの組立突出部に組み立てられるチューブ蓋と、前記チューブ蓋の固定孔内に挿入されて固定され、下端部には密着端部が形成されて前記組立突出部と着脱可能に密着され、他端部にはブラシが固定されたブラシ固定部を含む本発明による携帯用歯間ブラシによって達成される。
【発明の効果】
【００１１】
本発明による携帯用歯間ブラシは、その構造が簡単になって安価に多量を製造することが可能になり、使用が便利であり、携帯が容易になり、構造が簡単になって製造が容易であり、製造コストが安価になって誰でも使用できるようなり、国民の歯を健康な状態に維持することができる優れた効果がある。
【図面の簡単な説明】
【００１２】
【図１】従来の歯間ブラシの概略的な縦断面図である。
【図２】従来の他の歯間ブラシの分解斜視図である。
【図３】本発明の第１の参考例による携帯用歯間ブラシの斜視図である。
【図４】本発明の第１の参考例による携帯用歯間ブラシの分解斜視図である。
【図５】本発明の第１の参考例による携帯用歯間ブラシの排出孔部分の拡大断面図である。
【図６】本発明の第２の参考例による携帯用歯間ブラシの排出孔部分の拡大断面図である。
【図７】本発明の第２の参考例による携帯用歯間ブラシの排出孔部分の拡大断面図である。
【図８】本発明の第３の参考例による携帯用歯間ブラシの斜視図である。
【図９】図８の携帯用歯間ブラシの切断部が切断された状態の概略的な縦断面図である。
【図１０】本発明の第４の参考例による携帯用歯間ブラシの着脱可能に結合される一端部の縦断面図である。
【図１１】本発明の第１の実施例による携帯用歯間ブラシの斜視図である。
【図１２】本発明の第１の実施例による携帯用歯間ブラシの分解斜視図である。
【図１３】本発明の第１の実施例による携帯用歯間ブラシの概略的な縦断面図である。
【図１４】本発明の第１の実施例による携帯用歯間ブラシの洗浄液の遮断時の縦断面図及び供給時の縦断面図である。
【図１５】本発明の第１の実施例による携帯用歯間ブラシの洗浄液の遮断時の縦断面図及び供給時の縦断面図である。
【図１６】本発明の第２の実施例による携帯用歯間ブラシの洗浄液の遮断時の縦断面図及び供給時の縦断面図である。
【図１７】本発明の第２の実施例による携帯用歯間ブラシの洗浄液の遮断時の縦断面図及び供給時の縦断面図である。
【発明を実施するための形態】
【００１３】
本発明の第１の参考例による携帯用歯間ブラシＡは、図３〜図５に示すように、洗浄液Ｃが充填される充填空間１１が形成され、前記充填空間１１内に洗浄液Ｃの充填が完了され、洗浄液Ｃが流出される排出孔１２が形成された洗浄液チューブ１と、前記洗浄液チューブ１の排出孔１２内に圧入された円筒状の固定部２１が一端部に形成され、他端部には、ブラシ２２が取り付けられたブラシ本体２の前記固定部２１が前記洗浄液チューブ１の排出孔１２に強制的に圧入固定されている。
【００１４】
本発明の最大の特徴は、洗浄液Ｃが洗浄液チューブ１内に充填された状態で洗浄液チューブ１の流出孔１２がブラシ本体２の固定部２１によって詰まった状態では、前記洗浄液が入っている充填空間１１の圧力が大気圧よりも低くなるので、洗浄液チューブ１に手で押すことのような外部の圧力が作用されない場合には、洗浄液Ｃの流出が防止される点を用いて、洗浄液Ｃの流出を防止する別途の装置がなくても洗浄液Ｃの流出を防止できるようなって洗浄液が入っている携帯用歯間ブラシの構造を大幅に簡単にしたものである。
【００１５】
本参考例では、前記洗浄液チューブ１は、指のような押す力で圧力が加わると、収縮され、圧力が加えられないと、元に復元される性質を有する合成樹脂で製造され、前記洗浄液チューブ１は、充填空間１１内に洗浄液Ｃが排出孔１２が形成されたボトルネック１３の部分まで充填されていて、このような状態で前記ブラシ本体２の固定部２１が圧入固定される。
【００１６】
この状態で前記洗浄液チューブ１内に充填された洗浄液Ｃは、充填空間１１内に充填されていて、排出孔１２に固定部２１が圧入固定された状態なので、充填空間１１の内部は、圧力が大気圧よりも小さくなって、洗浄液チューブ１を逆に立てて洗浄液チューブ１内の洗浄液Ｃは、排出孔１２が下部に位置しても排出孔１２を介して流出しないようにされている。
【００１７】
洗浄液Ｃの流出が必要な場合には、洗浄液チューブ１の外表面を指のような外部の圧力で押す場合に洗浄液が充填された充填空間１１の内部に圧力が発生するので、洗浄液Ｃは排出孔１２の方向に排出される圧力を受けるため、ブラシ本体２の固定部２１の方向に排出圧力が作用して固定部２１と排出孔１２との間の隙間を介して排出されるようになり、指を離して圧力を加えないようになると、洗浄液Ｃの排出は中断されるようになる。
【００１８】
このような外力が作用した場合に、図５に示すように、前記ブラシ本体２の固定部２１は、その外表面上に微細に縦方向に多数の流出溝２１１が形成されていて、流出圧力を受ける洗浄液Ｃは、流出溝２１１に沿って排出されてブラシ２２を濡らすことになる。
【００１９】
前記ブラシ本体２は、一端部に固定部２１が形成され、他端部には歯や歯茎と接して歯や歯茎を洗浄するブラシ２２が取り付けられ、このような固定部２１とブラシ２２は、ワイヤ２３で連結されている。
【００２０】
図５に示すように、前記ブラシ本体２の固定部２１は、洗浄液Ｃが充填されている前記洗浄液チューブ１の排出孔１２に圧入されるように固定されるので、洗浄液Ｃが排出されないが、洗浄液チューブ１の外表面に圧力が加えることになると、洗浄液Ｃは、排出孔１２の部分を介して流出されるように圧力が加えられ、したがって、洗浄液Ｃは、固定部２１の流出溝２１１に沿って流出されてブラシ２２に流出され、携帯用歯間ブラシＡを使用できる状態になる。
【００２１】
このように本発明の第１の参考例による携帯用歯間ブラシＡは、洗浄液を使用できるながらも洗浄液チューブの充填空間を低圧力に維持させて洗浄液の流出が防止される点を用いて、ボトル状の洗浄液チューブ１と、一端部に固定部２１が形成され、他端部にはブラシ２２が取り付けられたブラシ本体２だけからなるので、その構造が非常に単純になるので、携帯用歯間ブラシの製造が簡単になり、自動的に多量の製造が可能になって安価で洗浄液が使用可能な携帯用歯間ブラシを提供することが可能になる。
【００２２】
本発明の第２の参考例による携帯用歯間ブラシＡは、洗浄液Ｃの外部への意図されない流出をより確実に防止するため、図６に示すように、ブラシ本体２の固定部２１の流出溝２１１の外表面に外部のブラシ２２の方向に傾斜するように形成された流動板２１１ａが形成されて矢印ａ方向に圧力が加わると、洗浄液Ｃが流動板２１１ａを二点鎖線の位置に押して流出される構造であり、圧力が加わらないようにすると、流動板２１１ａの端部が再び排出孔１２に触れながら洗浄液Ｃの流出が防止されるようにする構造が提案されて、洗浄液Ｃの外部への意図されない流出をより確実に防止することがことができる。図７も同様の構造であって、ブラシ本体２の固定部２１の流出溝２１１の深さｄよりも長くない微細毛２１１ｂが流出溝２１１内に形成されて前記微細毛２１１ｂによって洗浄液Ｃの流出が遮断されるようにする構造も提案されることができる。すなわち、洗浄液Ｃは、下部の微細毛２１１ｂに接する状態で維持され、たとえ微細に流出されるとしても上部の微細毛２１１ｂによって遮断されるため、確かに前記微細毛２１１ｂによって洗浄液Ｃの流出が遮断されるようになる。
【００２３】
本発明の第３の参考例による携帯用歯間ブラシＡは、使い捨てで使用されるように発明されたものであって、図８及び図９に示すように、洗浄液が充填された充填空間１１が形成され、前記充填空間１１内に洗浄液が充填されていて、洗浄液が流出される排出孔１２が形成された洗浄液チューブ１と、前記洗浄液チューブ１の排出孔１２内に圧入固定された円筒状の固定部２１が一端部に形成され、他端部には、ブラシ２２が取り付けられたブラシ本体２の前記固定部２１が、前記排出孔１２に圧入固定され、前記洗浄液チューブ１の後段には、切断可能な切断部１４が形成されている。
【００２４】
したがって、本参考例では、使い捨てで使用が可能なように洗浄液Ｃがほぼ真空に近いように洗浄液チューブ１内に充填されているので、ブラシ本体２のブラシ２２への流出が遮断された状態であり、使用しようとする場合には、切断部１４を切断すると、切断された部分に外部と通じる流通孔１４ａが形成されて洗浄液チューブに流出圧力が加わるようになるので、携帯用歯間ブラシＡのブラシ２２を下になるように配置させると、洗浄液チューブ１内の洗浄液Ｃは、下方に移動されつつ、ブラシ本体２の固定部２１を介してブラシ２２に流れるようになって歯と口腔を洗浄できるようになる。
【００２５】
図１０は、本発明の第４の参考例による携帯用歯間ブラシＡに関するもので、数回の使用が可能なように洗浄液Ｃがほぼ真空に近いように洗浄液チューブ１内に充填されているので、ブラシ本体２のブラシ２２への流出が遮断された状態であり、洗浄液チューブ１の下端部には下部孔１５が形成され、前記下部孔１５に隣接して係止段部１６が形成され、前記下部孔１５に密着されつつ係止段部１６にかかって前記下部孔１５を開閉させる弾性材質の開閉口１７が着脱可能に固定されていて、前記携帯用歯間ブラシＡを使用しようとする場合には、前記開閉口１７のホルダ１７ａを直角に回動させて前記下部孔１５に密着した密着弾性部１７ｂが前記係止段部１６から離脱可能するようにして前記開閉口１７を引っ張ると、開閉口１７が、前記下部孔１５から離脱されて洗浄液チューブ１と分離されるため、前記下部孔１５内に空気が流入されるので、洗浄液Ｃがブラシ２２に流出されるようになり、一定量が流出すると、開閉口１７を再び係止段部１６に組み立てて下部孔１５を閉鎖させて洗浄液Ｃの流出を防止できるようなるので、開閉口１７を着脱可能に分離させる方式で何度も使用が可能になる。
【００２６】
このように、本発明による携帯用歯間ブラシは、洗浄液が充填された状態の洗浄液チューブの排出孔内にブラシ本体の固定部が挿入固定されても洗浄液チューブの充填空間が低圧状態に維持されて洗浄液がブラシ本体に流出されない状態を用いて携帯用歯間ブラシを２つの構成部分だけで製造するようになるので、その構造が簡単になって安価に多量を製造することが可能になり、低廉な価格で消費者が利用することができるようになる。
【００２７】
本発明の第１の実施例による携帯用歯間ブラシＡは、図１１に示すように、洗浄液が収納されて携帯が簡単になり、洗浄液が流出される組立突出部５１が形成された洗浄液チューブ５と、前記洗浄液チューブ５の組立突出部５１が挿入されて組み立てられる組立孔６１が下部に形成され、前記組立孔６１の上方に組立孔より直径が大きく、ブラシ７１が一端部に固定されたブラシ固定部７が挿入固定される固定孔６２が形成され、前記洗浄液チューブ５の組立突出部５１に組み立てられるチューブ蓋６と、前記チューブ蓋６の固定孔６２内に挿入されて固定される挿入端部７２が形成され、その挿入端部７２の自由端部には密着部７３が形成されて前記組立突出部５１と着脱可能に密着され、他端部にはブラシ７１が固定されたブラシ固定部７を含む。
【００２８】
前記洗浄液チューブ５は、図１２に示すように、製造が容易に合成樹脂で成形され、洗浄液Ｓが収納されたチューブ本体５０と、前記チューブ本体５０から延びられるボトルネック部に該当するようにチューブ本体５０よりも小さい直径で形成され、先端部には洗浄液Ｓが流出される排出孔５２が形成され、下部の外側には組み立てねじ部５３が形成され、前記チューブ本体５０よりも小さな直径に突出した組立突出部５１が形成されている。
【００２９】
前記組立突出部５１の排出孔５２が形成された先端部は、損傷を防止するために補強縁５２ａが厚く形成されて排出孔の強度を補強する。
【００３０】
本実施例では、前記組立突出部５１の下部のチューブ本体５０となす境界には、係止段５４が形成されていて、前記係止段５４上には複数の突起５４ａが配置されて、前記突起５４ａの位置が異なり、各突起５４ａの位置に応じて前記ブラシ固定部７との組立状態が異なるので、前記ブラシ固定部７との組立状態を容易に知ることができるようになっている。
【００３１】
前記チューブ蓋６は、前記洗浄液チューブ５の組立突出部５１が挿入されて組み立てられる組立孔６１が下部に形成され、前記組立孔６１の下部の内側には、前記組立ねじ部５３にかみ合ってねじ組み立てされるめねじ部６４が形成されて前記洗浄液チューブ５とネジ組み立てされるようになる。
【００３２】
前記チューブ蓋６の組立孔６１の上方に組立孔より直径が大きい固定孔６２が形成されて、前記固定孔６２内には、前記ブラシ固定部７の挿入端部７２が挿入固定され、前記挿入端部７２の自由端部である密着端部７３は、前記固定孔６２の内側に突出するように形成されている。前記挿入端部７２の外側面に縦方向に多数の流出溝７２ａが形成されて洗浄液Ｓが流出溝７２ａを介して流れてブラシ７１に供給される。前記流出溝７２ａの深さは約０．０５〜１ｍｍで形成されている。
【００３３】
本実施例では、前記チューブ蓋６は、下部の組立孔６１と上部の固定孔６２の２つで形成されているが、図１６、１７に示すように、チューブ蓋６の下部の組立孔６１と上部の固定孔６２との間に、より大きな直径の拡張空間部６３が形成されて前記挿入端部７２の自由端部である密着端部７３が拡張空間部６３の内側に配置されることができる。
【００３４】
本実施例では、前記ブラシ固定部７の密着端部７３は、前記洗浄液チューブ５の組立突出部５１を包むように延長された縁突出段７３ａが形成されていて、前記洗浄液Ｓの流出を確実に防止するように排出孔５２内に挿入される中央の突出部７３ｂが形成されているので、前記ブラシ固定部７の密着端部７３と前記洗浄液チューブ５の組立突出部５１が密着された場合には、洗浄液Ｓの流出が防止されるようになる。また、前記ブラシ固定部７の密着端部７３と、前記洗浄液チューブ５の組立突出部５１が離隔された場合には、洗浄液Ｓが離隔された隙間を介して流出されてブラシ７１に供給されるようになる。
【００３５】
他の実施例として、チューブ蓋６の下部の組立孔６１と上部の固定孔６２との間に固定孔６２よりも大きい直径の拡張空間部６３が形成されて前記挿入端部７２の自由端部である密着端部７３が拡張空間部６３の内側に配置された場合、弾力性のある前記ブラシ固定部７の密着端部７３は、固定孔６２を通って固定孔６２よりも広い拡張空間部６３内に配置されて前記洗浄液チューブ５の組立突出部５１の端をより広く包むので、さらに洗浄液Ｓの流出をより確実に制御することができようになる。
【００３６】
このような構成を有する本発明による携帯用歯間ブラシＡの動作を、以下に説明する。
【００３７】
本発明による携帯用歯間ブラシＡを使用しようとする場合に、ブラシ固定部７の密着端部７３と前記洗浄液チューブ５の組立突出部５１が密着して洗浄液Ｓの流出が防止された状態で、洗浄液チューブ５を開く方向に回すと、ネジ組み立てられた洗浄液チューブ５の組立ねじ部５３とチューブ蓋６のめねじ部６４のネジ組み立てが解けながら、洗浄液チューブ５とチューブ蓋６の間が広がることになるので、当然に前記洗浄液チューブ５の組立突出部５１を包みながら密着した密着端部７３の端突出段７３ａの密着が解除されるとともに、洗浄液チューブ５の排出孔５２内に挿入されて前記排出孔５２と密着した状態の中央突出部７３ｂの密着も解除されるようになるので、結果的に組み立て突出部５１と密着端部７３との間に離隔された隙間が発生するので、発生した隙間を介して洗浄液Ｓが流出されて流出溝７２ａに沿ってブラシ７１に供給され、洗浄液が供給された状態で携帯用歯間ブラシＡを使用することができるようになる。
【００３８】
携帯用歯間ブラシＡの使用が終了すると、反対方向に洗浄液チューブ５を回転させると、ネジ組み立てられた洗浄液チューブ５の組立ねじ部５３とチューブ蓋６のめねじ部６４のネジ組み立てが再び組み立てされて洗浄液チューブ５とチューブ蓋６の間が狭くなるので、当然に離隔された隙間がなくなり、離隔された前記洗浄液チューブ５の組立突出部５１と密着端部７３の端突出段７３ａが再び密着されるとともに、洗浄液チューブ５の排出孔５２内に中央突出部７３ｂが再び挿入されて密着されるので、洗浄液Ｓの排出が遮断されるため、非常に単純な構造で洗浄液Ｓの流出を制御できるようになるので、便利に使用することができるのは言うまでもなく、簡単な構造により製造も容易になって歯間ブラシの製造コストも安価になるので、多くの人が購入して使用できるようになって多くの人の口腔の健康を維持できるようになる。
【産業上の利用可能性】
【００３９】
本発明による携帯用歯間ブラシは、歯間ブラシの製造業において、同じ製品を繰り返し製造することが可能であるといえるので、産業上の利用可能性のある発明といえる。
【図１】
0006361991.tif 000002
【図２】
0006361991.tif 000003
【図３】
0006361991.tif 000004
【図４】
0006361991.tif 000005
【図５】
0006361991.tif 000006
【図６】
0006361991.tif 000007
【図７】
0006361991.tif 000008
【図８】
0006361991.tif 000009
【図９】
0006361991.tif 000010
【図１０】
0006361991.tif 000011
【図１１】
0006361991.tif 000012
【図１２】
0006361991.tif 000013
【図１３】
0006361991.tif 000014
【図１４】
0006361991.tif 000015
【図１５】
0006361991.tif 000016
【図１６】
0006361991.tif 000017
【図１７】
0006361991.tif 000018